(57)【要約】【課題】電動機部における磁気吸引力の変動を抑制して、スクロール圧縮機の効率向上と振動低減を図る。【解決手段】密閉型スクロール圧縮機は、密閉容器１内に、圧縮機部と電動機部を収納し、前記圧縮機部は固定スクロール５と旋回スクロール６とを噛み合わせ、旋回スクロールの自転を防止して旋回運動させ、吸入口１０から吸入した作動ガスを圧縮して吐出口から吐出するように構成されている。また、前記電動機部により回転される回転軸１４のスラスト方向に発生した荷重を受けるために、旋回スクロールの軸支持部６ｃ内の偏心ピン部１４ｂに対向する面に設けられたスラスト受け４２と、フレーム７側に設けられたスラスト軸受４１を備え、スラスト受けと偏心ピン部との隙間をＬ、偏心ピン部の軸径をｄとしたとき、偏心ピン部軸径に対する軸方向隙間「Ｌ／ｄ」が「０〜１．０×１０−２」となる範囲で運転されるように構成している。【選択図】図２
2015042858.tif 000002
【特許請求の範囲】
【請求項１】
密閉容器内に、圧縮機部と電動機部を収納し、前記圧縮機部は鏡板に渦巻状のラップを直立させた固定スクロールと旋回スクロールとをラップを互いに内側にして噛み合わせ、旋回スクロールの背面に設けた軸支持部に、前記電動機部により回転される回転軸の偏心ピン部を係合し、旋回スクロールを自転することなく固定スクロールに対し旋回運動させ、固定スクロールの外周部に設けた吸入口から作動ガスを吸入し、前記両スクロールにより形成される圧縮室を中心に移動させてその容積を減少させながら前記作動ガスを圧縮して吐出口から吐出するように構成している密閉型スクロール圧縮機であって、
前記回転軸のスラスト方向に発生した荷重を受けるために、前記旋回スクロールの背面に設けた軸支持部内の前記偏心ピン部に対向する面に設けられたスラスト受けと、前記回転軸を支持する主軸受を設けているフレーム側に設けられたスラスト軸受を備え、
前記スラスト受けと前記偏心ピン部との隙間をＬ、前記偏心ピン部の軸径をｄとしたとき、この偏心ピン部軸径に対する前記軸方向隙間「Ｌ／ｄ」が「０〜１．０×１０−２」となる範囲で運転されるように構成している
ことを特徴とする密閉型スクロール圧縮機。
【請求項２】
請求項１に記載の密閉型スクロール圧縮機であって、前記回転軸が最下端位置で前記旋回スクロールが最上端位置になったときの前記スラスト受けと前記偏心ピン部との隙間Ｌを最大隙間Ｌｍａｘとしたとき、前記偏心ピン部軸径に対する前記最大隙間「Ｌｍａｘ／ｄ」が「１．０×１０−３〜１．０×１０−２」の範囲になるように構成されていることを特徴とする密閉型スクロール圧縮機。
【請求項３】
請求項１または２に記載の密閉型スクロール圧縮機であって、前記密閉容器の下部に溜められた潤滑油が、前記回転軸内の軸方向に設けられた給油穴を介して、前記偏心ピン部の端面から前記スラスト受けに向かって排出されるように構成されると共に、前記スラスト受けには、その中心部付近から外径方向に向かう放射状の溝が形成されていることを特徴とする密閉型スクロール圧縮機。
【請求項４】
請求項１〜３の何れかに記載の密閉型スクロール圧縮機であって、前記回転軸の主軸部と前記偏心ピン部との間につば部を設け、このつば部の端面と前記旋回スクロールの軸支持部の端面との間の隙間をＬ１としたとき、前記スラスト受けと前記偏心ピン部との隙間Ｌとの関係が、「Ｌ１＞Ｌ」となるように構成されていることを特徴とする密閉型スクロール圧縮機。
【発明の詳細な説明】
【技術分野】
【０００１】
本発明は、冷凍・空調機器などに使用される密閉型スクロール圧縮機に関する。
【背景技術】
【０００２】
密閉型スクロール圧縮機は、冷凍・空調機器用の圧縮機として様々な分野で広く活用されており、他の方式の圧縮機に比べて高効率、高信頼性、静音などの優位性を備えている。
【０００３】
従来の密閉型スクロール圧縮機としては、例えば特許文献１（特開２００４−２９３５３１号公報）に記載されているものがある。
【０００４】
この特許文献１のものは、密閉容器内に、圧縮機部と電動機部を収納し、前記圧縮機部は円板状鏡板に渦巻状のラップを直立させた固定スクロールと旋回スクロールとをラップを互いに内側にして噛み合わせ、前記旋回スクロールの背面に設けた軸支持部に、前記電動機部により回転される回転軸の偏心ピン部を係合した構成としている。そして、旋回スクロールを自転することなく固定スクロールに対し旋回運動させることにより、固定スクロールの外周部に開口する吸入口から作動ガスを吸入し、前記両スクロールにより形成される圧縮室を中心に移動させて容積を減少させながら前記作動ガスを圧縮して吐出口から吐出するように構成されている。
【０００５】
また、前記回転軸のスラスト方向に発生した荷重を受けるために、前記旋回スクロールの背面に設けた前記軸支持部内の前記偏心ピン部に対向する面にはスラスト受けが設けられており、更に前記回転軸を支持する主軸受を設けているフレーム側にはスラスト軸受が設けられている。前記スラスト受けは前記回転軸が上方に移動したときの荷重を受け、前記スラスト軸受は前記回転軸が下方に移動したときの荷重を受けるように構成されている。
【０００６】
前記回転軸には、密閉容器内下部に溜められた潤滑油を、前記偏心ピン部の上端面に導くための軸方向の給油穴が形成されており、前記偏心ピン部の上端面に導かれた潤滑油は前記軸支持部内に設けられている旋回軸受などを潤滑後、前記主軸受やスラスト軸受、前記旋回スクロールの自転を防止するためのオルダムリングなどを潤滑するように構成されている。
【先行技術文献】
【特許文献】
【０００７】
【特許文献１】特開２００４−２９３５３１号公報
【発明の概要】
【発明が解決しようとする課題】
【０００８】
上記特許文献１に示すような密閉型スクロール圧縮機において、回転軸方向であるスラスト方向に発生した荷重を受けるために、前述したように、前記スラスト受けと前記スラスト軸受が設けられており、前記スラスト受けは、回転軸が最も上方に移動した時に、旋回スクロールの軸支持部端面を前記回転軸に形成されているつば部端面（回転軸端部）と接触させないように、偏心ピン部の端部を受ける構成となっている。即ち、前記旋回スクロールの軸支持部下端面と前記回転軸のつば部端面との間に形成される軸方向隙間は、前記スラスト受けと前記回転軸の偏心ピン部端面との間に形成される軸方向隙間よりも常に大きくなるように構成されている。
【０００９】
ところで、密閉型スクロール圧縮機を構成している前記電動機部は、密閉容器に固定された固定子と、回転軸に固定された回転子により構成されているが、圧縮機の運転中は、固定子と回転子間には、互いを引っ張り合う磁気吸引力が発生している。前記固定子を構成している鋼板部の軸方向中心と、前記回転子を構成している鋼板部の軸方向中心とのズレ量（軸方向ズレ量）が小さいほど、軸方向の磁気吸引力は小さくなり、逆にこの軸方向ズレ量が増加するほど軸方向の磁気吸引力は増大する。
【００１０】
前記固定子と前記回転子間の前記軸方向ズレ量は、前記スラスト受けと前記偏心ピン部端面との間に形成される軸方向隙間の変動に応じて変動するから、これに伴い前記磁気吸引力も変動する。この電動機部における磁気吸引力の変動により、スクロール圧縮機の効率を低下させ、消費電力を増大させる要因となる。また、前記磁気吸引力の変動はスクロール圧縮機の振動を大きくし、信頼性低下を招くと共に、騒音増大の要因ともなる。
【００１１】
従来の密閉型スクロール圧縮機では前記固定子と前記回転子間の前記軸方向ズレ量の変動により、電動機部の効率を一定に保つことができず、効率低下を引き起こすことや、スクロール圧縮機の振動を大きくすることに対する配慮がなかった。
【００１２】
また、従来の密閉型スクロール圧縮機では、前記スラスト受けは突起部状に形成され、回転軸の前記偏心ピン部と前記スラスト受けが接触した時に給油経路を閉塞させないように、前記スラスト受けの中央部に凹部を設けている。しかし、前記偏心ピン部と前記スラスト受けとの接触時には、前記凹部は前記偏心ピン部端面で塞がれてしまい、前記旋回軸受、などへの給油が不十分になることに対する配慮もない。
【００１３】
本発明の目的は、電動機部における磁気吸引力の変動を抑制して、スクロール圧縮機の効率向上を図り、振動低減も図ることのできる密閉型スクロール圧縮機を得ることにある。
【課題を解決するための手段】
【００１４】
上記課題を解決するために、本発明は、密閉容器内に、圧縮機部と電動機部を収納し、前記圧縮機部は鏡板に渦巻状のラップを直立させた固定スクロールと旋回スクロールとをラップを互いに内側にして噛み合わせ、旋回スクロールの背面に設けた軸支持部に、前記電動機部により回転される回転軸の偏心ピン部を係合し、旋回スクロールを自転することなく固定スクロールに対し旋回運動させ、固定スクロールの外周部に設けた吸入口から作動ガスを吸入し、前記両スクロールにより形成される圧縮室を中心に移動させてその容積を減少させながら前記作動ガスを圧縮して吐出口から吐出するように構成している密閉型スクロール圧縮機であって、前記回転軸のスラスト方向に発生した荷重を受けるために、前記旋回スクロールの背面に設けた軸支持部内の前記偏心ピン部に対向する面に設けられたスラスト受けと、前記回転軸を支持する主軸受を設けているフレーム側に設けられたスラスト軸受を備え、前記スラスト受けと前記偏心ピン部との隙間をＬ、前記偏心ピン部の軸径をｄとしたとき、この偏心ピン部軸径に対する前記軸方向隙間「Ｌ／ｄ」が「０〜１．０×１０−２」となる範囲で運転されるように構成していることを特徴とする。
【発明の効果】
【００１５】
本発明によれば、電動機部における磁気吸引力の変動を抑制することができるので、スクロール圧縮機の効率向上を図ることができると共に、振動低減も図ることのできる密閉型スクロール圧縮機を得ることができる効果がある。
【図面の簡単な説明】
【００１６】
【図１】本発明の密閉型スクロール圧縮機の実施例１を示す縦断面図である。
【図２】図１に示す偏心ピン部周辺を拡大して示す要部拡大断面図である。
【図３】固定子と回転子の軸方向ズレ量ｘに対する軸方向の磁気吸引力Ｆの関係を説明する線図である。
【図４】図１、図２に示す旋回スクロールの構成を説明する断面図（図５のＱ−Ｑ線矢視断面図）である。
【図５】図４に示す旋回スクロールの底面図である。
【図６】図１、図２に示す旋回スクロールの他の例を説明する断面図（図７のＲ−Ｒ矢視断面図）である。
【図７】図６に示す旋回スクロールの底面図である。
【発明を実施するための形態】
【００１７】
以下、本発明の密閉型スクロール圧縮機の実施例を図面に基づき説明する。各図において、同一符号を付した部分は同一または相当する部分を示している。
【実施例１】
【００１８】
本発明の密閉型スクロール圧縮機の実施例１を図１〜図５により説明する。図１は本実施例の密閉型スクロール圧縮機を示す縦断面図、図２は図１に示す偏心ピン部周辺を拡大して示す要部拡大断面図、図３は固定子と回転子の軸方向ズレ量ｘに対する軸方向の磁気吸引力Ｆの関係を説明する線図、図４は図１，図２に示す旋回スクロールの構成を説明する断面図、図５は図４に示す旋回スクロールの底面図である。
【００１９】
まず、図１により、本実施例の密閉型スクロール圧縮機の全体構成を説明する。密閉型スクロール圧縮機１００は、縦長の密閉容器１の中に、圧縮機部２と電動機部３を上下に配置して収納している。前記密閉容器１は、上蓋１ａ、筒状の胴部１ｂ及び底部１ｃにより構成されている。
【００２０】
前記圧縮機部２は、円板状の鏡板に渦巻状のラップを直立させた固定スクロール５と旋回スクロール６とを、ラップを互いに内側にして噛み合わせて圧縮室（密閉空間）８を形成し、前記旋回スクロール６を自転することなく前記固定スクロール５に対して旋回運動させる。これにより、固定スクロール５の外周部に設けた吸入口１０から作動ガス（冷媒ガスなど）を吸入室５ｆに吸入し、前記両スクロールにより形成される前記圧縮室８を中心に移動させてその容積を減少させながら前記作動ガスを圧縮して、前記固定スクロール５の中心に設けた吐出口１１から吐出室４に吐出するように構成されている。
【００２１】
前記固定スクロール５は、円板状の鏡板５ａと、これに直立したインボリュート曲線或いはこれに近似する曲線で形成されたラップ５ｂを備えると共に、外周部に設けた前記吸入口１０及び中心部に設けた前記吐出口１１等を有している。
【００２２】
なお、前記固定スクロール５の前記吸入口１０には吸入管１７が接続されており、また前記固定スクロール５と前記吸入管１７との間には高圧部と低圧部とをシールするＯリング５３が設けられている。
【００２３】
前記旋回スクロール６は、円板状の鏡板６ａと、これに直立し、前記固定スクロール５のラップ５ｂと噛み合うように形成されたラップ６ｂを備えると共に、前記鏡板６ａの反ラップ側の中央にはボス形状（凹形状）の軸支持部６ｃが形成されている。また、この軸支持部６ｃ内には旋回軸受３２が設けられている。
【００２４】
前記電動機部３は、固定子３ａと回転子３ｂを備え、前記固定子３ａは前記密閉容器１の胴部１ｂに固定され、前記回転子３ｂは前記回転軸１４を構成する主軸部１４ａの下部側（電動機軸部）に固定されている。前記回転子３ｂは、その上方から見て時計回りに回転し、それにより前記回転軸１４も回転し、この回転軸１４の上端に形成された偏心ピン部１４ｂを介して前記旋回スクロール６を旋回運動させるように構成している。
【００２５】
７は前記密閉容器１の胴部１ｂ上部側に固定されているフレームで、このフレーム７の上部には前記固定スクロール５が複数本のボルト８１により固定され、またその下部側には前記回転軸１４の主軸部１４ａを回転支持する主軸受４０、補助軸受３９及びスラスト軸受４１が設けられている。本実施例では、前記主軸受４０はころ軸受で構成され、前記補助軸受３９はすべり軸受で構成されている。更に、前記フレーム７内の前記旋回スクロール６の鏡板６ａ背面側には中間圧室３６が形成されている。
【００２６】
前記旋回スクロール６の鏡板背面と前記フレーム７にはそれぞれキー溝が形成されており、これらのキー溝に係合するようにオルダムリングが設けられて、これらキー溝及びオルダムリングによりオルダム機構３８が構成されている。このオルダム機構３８により、前記旋回スクロール６は自転を防止されて旋回運動するようになっている。
【００２７】
前記回転軸１４は、前記主軸部１４ａ、前記偏心ピン部１４ｂ、及び前記主軸部１４ａの上端（前記偏心ピン部１４ｂの下端側）に設けられたつば部１４ｃが一体に連設して形成されている。前記回転軸１４の上端部を構成する前記偏心ピン部１４ｂは、主軸部１４ａの中心軸に対して偏心されており、この偏心ピン部１４ｂは前記旋回スクロール６の軸支持部６ｃに挿入されている。従って、前記回転軸１４を電動機部３により回転させることにより、偏心ピン部１４ｂを介して前記旋回スクロール６を旋回運動させることができる。９ａは前記つば部１４ｃの外縁側に一体に形成され、前記旋回スクロール６の旋回運動に伴い生じる遠心力を相殺するためのバランスウエイトである。また、前記回転子３ｂにも副バランスウエイト９ｂが設けられており、前記バランスウエイト９ａと共に、前記旋回スクロール６の旋回運動に伴い生じる遠心力を相殺するようにしている。
【００２８】
前記つば部１４ｃは、回転軸１４の中で最外径となる形状に形成されており、前記偏心ピン部１４ｂが前記つば部１４ｃよりも外径側に突出した形状とならないようにしている。また、前記つば部１４ｃで、前記回転軸１４の主軸部１４ａ上端側に固定される前記主軸受４０の内輪の位置決めもしている。
【００２９】
前記密閉容器１内は、固定スクロール５の吐出口１１が開口する前記吐出室４と、前記電動機部３が設けられている電動機室１２とが前記フレーム７により上下に区画して形成されている。前記吐出室４は、前記固定スクロール５及び前記フレーム７の外縁部に形成された第１通路１８ａ，１８ｂを介して電動機室１２と連通され、この電動機室１２側の密閉容器１の胴部１ｂには吐出管２０が設けられている。この吐出管２０は前記第１通路１８ａ，１８ｂの位置に対してほぼ反対側の位置に設置されている。
【００３０】
前記電動機室１２は、固定子３ａの上部空間１２ａと、固定子３ａの下部空間１２ｂとに区分され、これらの空間１２ａ，１２ｂを連通するように、前記固定子３ａの外周側と前記胴部１ｂの内壁面１ｂ１との間に、潤滑油（油）と作動ガス（ガス）が通過する第２通路２５が形成されている。また、固定子３ａと回転子３ｂの径方向隙間である電動機エアーギャップ２６の隙間も油とガスが通過する通路となる。これら第２通路２５及びエアーギャップ２６を介して前記上部空間１２ａと前記下部空間１２ｂとが連通され、ガスと潤滑油の混合体が前記第２通路２５及びエアーギャップ２６を流れることで、電動機部３の直接冷却が可能となる。
【００３１】
また、前記吐出室４から前記第１通路１８ａ，１８ｂを通過して前記電動機室１２の上部空間１２ａに作動ガスと共に流入した潤滑油は、前記上部空間１２ａにおいて前記作動ガスから分離され、下方の前記第２通路２５や前記エアーギャップ２６を介して密閉容器底部１ｃの油溜り２３に流下して溜められる。一方、潤滑油油を分離した作動ガス（冷媒ガス等）は、前記上部空間１２ａから前記吐出管２０に流入して、冷凍サイクル等に供給される。
【００３２】
なお、４７は前記電動機部３と前記油溜り２３を仕切る仕切りであり、この仕切り４７には電動機室１２の下部空間１２ｂから潤滑油が油溜りに流下できるように穴や通路が形成されている。また、この仕切り４７は、密閉容器１底部の油溜り２３に溜められた潤滑油の油面上に設けられ、圧縮機運転中に油溜り２３内の潤滑油が撹拌されたり、巻き上げられるのを防止するものである。
【００３３】
前記旋回スクロール６の鏡板６ａ背面に形成されている前記中間圧室３６は、旋回スクロール６の鏡板６ａを貫通する中間圧穴６ｄを介して圧縮途中の圧縮室８に連通されており、これにより前記中間圧室３６は吸入圧力と吐出圧力との中間の圧力になっている。この中間圧室３６の背圧により、前記旋回スクロール６は前記固定スクロール５に対して軸方向の付与力が与えられている。
【００３４】
ガスと分離され密閉容器１底部の油溜り２３に溜められた潤滑油は、密閉容器１の内部空間の高圧圧力（吐出圧力）と前記中間圧室３６の中間圧力との差庄により、油吸上管２７を介して吸い上げられ、前記回転軸１４内の中央に形成された給油穴１３内を上昇して、この給油穴１３の上端（偏心ピン部１４ｂ）から旋回スクロール６の軸支持部６ｃ内に流出し、前記旋回軸受３２へ給油される。また、前記給油穴１３の途中に設けられた横穴５１から、潤滑油の一部は前記補助軸受３９へ流れ、この補助軸受３９を潤滑する。
【００３５】
前記旋回軸受３２、主軸受４０へ給油された潤滑油は、中間圧室３６、中間圧穴６ｄを介して前記両スクロールラップ５ｂ，６ｂで形成される前記圧縮室８へ流入し、前記吸入口１０から吸入され圧縮室８で圧縮された作動ガスと混合され、この作動ガスと共に吐出口１１から吐出室４へと吐出される。
【００３６】
次に、図２により、図１に示す偏心ピン部周辺の構成を詳細に説明する。  
前記回転軸１４には回転軸方向（スラスト方向）にスラスト荷重が発生するが、このスラスト荷重を受けるために、図２に示すように、回転軸１４が下方に移動したときのスラスト荷重を受ける前記スラスト軸受４１と、前記回転軸１４が上方に移動したときのスラスト荷重を受けるスラスト受け４２が設けられている。
【００３７】
前記スラスト軸受４１は、前記主軸受４０の内輪下端部をスラスト方向に支持するように前記フレーム７に設置されており、このスラスト軸受４１により、回転軸１４の自重と、電動機部３により発生する軸方向の磁気吸引力(何れも下方へ作用する)を、主軸受４０の内輪を介して受け、回転軸１４に作用する下方向のスラスト荷重を支持するように構成されている。なお、この実施例では、前記スラスト軸受４１をフレーム７とは別部材で構成し、フレーム７に設置する構成としているが、前記スラスト軸受４１をフレーム７と同一体として構成するようにしても良い。
【００３８】
前記スラスト受け４２は、前記旋回スクロール６の背面に設けた前記軸支持部６ｃ内の前記偏心ピン部１４ｂに対向する面に、突出した平面となるように設けられており、前記回転軸１４が上方向に移動したとき、その上方向のスラスト荷重を支持するように構成されている。
【００３９】
前記回転軸１４に上下方向のスラスト荷重が発生する理由を以下説明する。  
スクロール圧縮機の運転時には、固定子３ａと回転子３ｂ間に互いを引っ張り合う磁気吸引力Ｆ[Ｎ]が発生する。軸方向の磁気吸引力Ｆは、図１に示すように、固定子３ａの鋼板部（鉄心部）軸方向中心Ｎ−Ｎと回転子３ｂの鋼板部軸方向中心Ｍ−Ｍとのズレ量ｘ[ｍｍ]が影響する。
【００４０】
ここで、前記磁気吸引力Ｆについて図３を用いて説明する。図３は、固定子３ａと回転子３ｂとの軸方向のズレ量ｘに対する軸方向の磁気吸引力Ｆの関係を説明する線図である。この図３に示すように、前記ズレ量ｘが増加するほど軸方向の磁気吸引力Ｆが増大する。
【００４１】
スクロール圧縮機においては、固定子３ａの鋼板部軸方向中心Ｎ−Ｎに対する回転子３ｂの鋼板部軸方向中心Ｍ−Ｍが、偏心ピン部１４ｂ側に初期ズレ量ｘ１だけずらして設定されている。これにより初期ズレ量ｘ１分の初期磁気吸引力Ｆ１を発生させ、回転軸１４が前記スラスト軸受４１に押さえ付けられるようにして、該回転軸１４を軸方向に変動し難いようにしている。
【００４２】
しかし、圧縮機の運転条件である電圧や運転周波数の変動により磁気吸引力Ｆは変動するため、スラスト軸受４１に押さえ付けるための前記初期ズレ量ｘ１に対する初期磁気吸引力Ｆ１も変動し、押さえ付ける力が不十分となる場合がある。このため、固定子３ａと回転子３ｂとの軸方向のズレ量ｘは、前記スラスト軸受４１により決まる回転軸１４の最下端位置、即ち初期ズレ量ｘ１から、前記スラスト受け４２で決まる回転軸１４の最上端位置、即ち最大ズレ量ｘ２の間で変動する。
【００４３】
つまり、図２において、前記回転軸１４の偏心ピン部１４ｂ上端と前記スラスト受け４２との間の軸方向隙間をＬとすると、この軸方向隙間Ｌは前記回転軸が最下端位置となり、旋回スクロール６が最上端位置になったときに最大隙間Ｌｍａｘとなり、この最大隙間Ｌｍａｘの分だけ回転軸１４は軸方向に変動することになる。そして、回転軸１４の軸方向変動に応じて前記磁気吸引力Ｆが変動する。この磁気吸引力が変動すると前記電動機部３の効率を一定に保つことができず、密閉型スクロール圧縮機の効率低下を引き起こし、消費電力を増大させる要因となっていることがわかった。また、前記磁気吸引力の変動は、スクロール圧縮機の振動を大きくして信頼性を低下させると共に、騒音も増大させる要因になることもわかった。
【００４４】
そこで、本実施例においては、偏心ピン部１４ｂの軸径をｄ[ｍｍ]としたとき、この偏心ピン部軸径ｄに対する前記軸方向隙間Ｌ[ｍｍ]、即ち「Ｌ／ｄ」が、「０〜１．０×１０−２」の範囲で運転されるように構成したものである。このため、本実施例においては、偏心ピン部１４ｂの軸径ｄに対する前記最大隙間Ｌｍａｘ、即ち、「Ｌｍａｘ／ｄ」が、「１．０×１０−３〜１．０×１０−２」の範囲になるように、前記回転軸１４の偏心ピン部１４ｂが最下端となる位置と、前記旋回スクロール６のスラスト受け４２が最上端となる位置が決められている。
【００４５】
従来の密閉型スクロール圧縮機においては、前記「Ｌ／ｄ」は、例えば、「０〜１．０×１０−１」程度の範囲（前記「Ｌｍａｘ／ｄ」は「１．０×１０−１」程度）で運転されるように構成されており、本実施例に対して非常に大きな隙間となっていた。このため、図３に示すように、スクロール圧縮機の運転点がＡ〜Ｂの範囲で変化し、これに伴い磁気吸引力ＦはＦ１〜Ｆ２の間で変動し、その変動幅が大きく、スクロール圧縮機の効率を低下させるため消費電力が大きくなる。また、軸方向のズレ量もｘ１〜ｘ２の範囲で変動するため、振動が大きくなり、このため信頼性を低下させ、騒音増大の要因になっている。
【００４６】
これに対し本実施例のものでは、前記「Ｌ／ｄ」が「０〜１．０×１０−２」の範囲で運転されるように構成しているので、図３に示すように、スクロール圧縮機の運転点がＡ〜Ｃの範囲に縮小され、これに伴い磁気吸引力Ｆの変動範囲もＦ１〜Ｆ３と従来よりも大幅に小さくできる。従って、スクロール圧縮機の効率を向上させることができ、消費電力を低減できる。また、軸方向のズレ量もｘ１〜ｘ３で変動するため従来よりも大幅に変動範囲を小さくでき、これにより振動低減を図れるので、スクロール圧縮機の信頼性を向上させ、騒音も大幅に低減できる効果も得られる。
【００４７】
また、本実施例では、前記回転軸１４の主軸部１４ａと前記偏心ピン部１４ｂとの間につば部１４ｃが設けられているが、図２に示すように、このつば部１４ｃの端面（上端面）１４ｄと前記旋回スクロール６の軸支持部６ｃの端面（下端面）６ｅとの間の隙間をＬ１としたとき、前記スラスト受け４２と前記偏心ピン部１４ｂとの隙間Ｌとの関係を、「Ｌ１＞Ｌ」となるように構成している。
【００４８】
このように構成することにより、回転軸１４が最も上方に移動した時でも、旋回スクロール６の軸支持部端面６ｅが前記つば部１４ｃの端面１４ｄと接触するのを回避でき、スラスト受け４２で偏心ピン部１４ａの端部を受けることができる。
【００４９】
旋回スクロール６の軸支持部端面６ｅとつば部端面１４ｄが接触（Ｌ１＝０ｍｍ）すると、回転軸１４の給油穴１３から流出した潤滑油は、前記旋回軸受３２に流れた後、前記中間圧室３６へ流出することができず、潤滑油が詰まる現象を引き起こす。このため、軸支持部６ｃ内の中央部空間４５で潤滑油が滞留し、旋回軸受３２への給油が不十分となり、旋回軸受３２の信頼性低下や、機械損失の増大による消費電力の増大の要因となる。
【００５０】
本実施例では、スラスト受け４２と偏心ピン部１４ｂとの隙間Ｌと、軸支持部端面６ｅとつば部端面１４ｄとの隙間Ｌ１との関係が「Ｌ１＞Ｌ」となるように構成しているから、軸支持部端面６ｅとつば部端面１４ｄとの前記隙間Ｌ１を常に確保でき、潤滑油が前記中央部空間４５に滞留するのを防止してスムーズに流すことができる。従って、旋回軸受３２への安定した給油を可能にし、スクロール圧縮機の信頼性向上及び消費電力の低減を図ることができる。
【００５１】
また本実施例では、密閉容器１の下部に溜められた潤滑油が、回転軸１４内の軸方向に設けられた給油穴１３を介して、偏心ピン部１４ｂの端面から前記スラスト受け４２に向かって排出されるように構成されている（即ち、スラスト受け４２が給油穴１３の軸方向上側に位置している）が、前記スラスト受け４２には、その中心（またはそのほぼ中心）から外径方向に向かう放射状の溝４３が形成されている。
【００５２】
この構成を図４及び図５により、更に詳しく説明する。図４は図１，図２に示す旋回スクロールの構成を説明する断面図で、図５のＱ−Ｑ線矢視方向に見た図、図５は図４の底面図である。これら図４及び図５に示すように、本実施例では、スラスト受け４２の中心部（または中心部付近）から外径方向に向かう放射状の溝４３が設けられている。
【００５３】
このように放射状の溝４３を設けることにより、前記回転軸１４が前記スラスト受け４２に接触して、回転軸１４に設けた前記給油穴１３がスラスト受け４２で塞がれてしまうような場合でも、回転軸１４に設けた前記給油穴１３からスラスト受け４３に供給された潤滑油を、前記放射状の溝４３を介してスラスト受け４３の外周側に常に確実に流出させることができる。この結果、前記旋回軸受３２への給油経路が遮断されることなく、前記旋回軸受３２などへ常に十分な給油をスムーズに行なうことができる。
【００５４】
特に、本実施例の密閉型スクロール圧縮機は、上述したように、前記「Ｌ／ｄ」が「０〜１．０×１０−２」の範囲で運転されるように構成しているので、前記偏心ピン部１４ｂの端面が前記スラスト受け４２に接触し易くなり、前記旋回軸受３２への給油が不足しがちになる。しかし、本実施例では、前記放射状溝４３を設けているので、前記偏心ピン部１４ｂの端面が前記スラスト受け４２に接触する機会が増加しても前記旋回軸受３２への給油経路が遮断されるのを確実に防止できるから、旋回軸受３２等への潤滑油の供給を確実に維持することができる。従って、本実施例によれば、振動を小さくでき且つ旋回軸受等への給油も確実に行えるので、密閉型スクロール圧縮機の信頼性を更に向上することができる効果が得られる。
【００５５】
図６及び図７により、上記図４及び図５で説明した旋回スクロール６の他の例を説明する。図６は図１，図２に示す旋回スクロールの他の例を説明する断面図で、図７のＲ−Ｒ線矢視方向に見た図、図７は図６の底面図である。  
図４及び図５に示した例では、前記放射状の溝４３は、スラスト受け４２の中心から外径方向へ延びる１個の放射状溝で構成した例を示したが、図６及び図７に示す例では、スラスト受け４２に、その中心部（または中心部付近）から外径方向へ向かう放射状溝４３を複数（この例では３本）設けるように構成したものである。
【００５６】
なお、この放射状溝４３の数は３本に限られるものではなく、２本でも４本以上でも良く、潤滑油の流れが滞留せず、常に十分な量の油をスムーズに供給することができるように、その本数や溝幅を選定すると良い。  
この例によれば、図２に示す回転軸１４に設けた前記給油穴１３の上端からの潤滑油の流出効果を一層高めることができ、旋回軸受３２等の潤滑をより良好に保つことができるから、密閉型スクロール圧縮機の信頼性をより一層向上できる効果が得られる。
【００５７】
以上説明したように、本実施例の密閉型スクロール圧縮機によれば、偏心ピン部の軸径に対するスラスト受けと前記偏心ピン部との隙間「Ｌ／ｄ」が「０〜１．０×１０−２」となる範囲で運転されるように構成しているので、回転子が固定されている回転軸の軸方向変動を低減できる。この結果、電動機部における磁気吸引力の変動を抑制できるから、消費電力増大を抑えて電動機部の効率向上を図ることができると共に、振動低減も図ることができる密閉型スクロール圧縮機が得られる効果がある。
【００５８】
また、本実施例では、前記スラスト受けに、その中心部付近から外径方向に向かう放射状の溝を形成しているので、前記偏心ピン部が前記スラスト受けに接触して、回転軸に設けた給油穴がスラスト受けで塞がれてしまうような場合でも、前記給油穴からスラスト受けに供給された潤滑油を、前記放射状溝を介して常に確実に流出させることができる。従って、前記旋回軸受への給油経路が遮断されることがなくなり、常に十分な給油を行なうことができるから、密閉型スクロール圧縮機の信頼性を向上できる効果も得られる。
【００５９】
なお、本発明は上記した実施例に限定されるものではなく、様々な変形例が含まれる。また、上記した実施例は本発明で分かりやすく説明するために詳細に説明したものであり、必ずしも説明した全ての構成を備えるものに限定されるものではない。
【符号の説明】
【００６０】
１…密閉容器、１ａ…上蓋、１ｂ…胴部、１ｂ１…内壁面、１ｃ…底部、
２…圧縮機部、
３…電動機部、３ａ…固定子、３ｂ…回転子、
４…吐出室、
５…固定スクロール、５ａ…鏡板、５ｂ…ラップ、５ｆ…吸入室、
６…旋回スクロール、６ａ…鏡板、６ｂ…ラップ、６ｃ…軸支持部、
６ｄ…中間圧穴、６ｅ…端面、
７…フレーム、８…圧縮室、
９ａ…バランスウエイト、９ｂ…副バランスウエイト、
１０…吸入口、１１…吐出口、
１２…電動機室、１２ａ…上部空間、１２ｂ…下部空間、
１３…給油穴、１４…回転軸、
１４ａ…主軸部、１４ｂ…偏心ピン部、１４ｃ…つば部、１４ｄ…端面、
１７…吸入管、１８ａ，１８ｂ…第１通路、２０…吐出管、
２３…油溜り、２５…第２通路、２６…エアーギャップ、２７…油吸上管、
３２…旋回軸受、３６…中間圧室、３８…オルダム機構、
３９…補助軸受、４０…主軸受、４１…スラスト軸受、
４２…スラスト受け、４３…放射状溝、４５…中央部空間、
４７…仕切り、５３…Ｏリング、８１…ボルト、
１００…密閉型スクロール圧縮機。
【図１】
2015042858.tif 000003
【図２】
2015042858.tif 000004
【図３】
2015042858.tif 000005
【図４】
2015042858.tif 000006
【図５】
2015042858.tif 000007
【図６】
2015042858.tif 000008
【図７】
2015042858.tif 000009